(57)【特許請求の範囲】
【請求項１】
厚さが０．６mmの基板を介して情報記録層に光を照射して情報を再生する第１の記録媒体と、厚さが１．２mmの基板を介して情報記録層に光を照射して情報を再生する第２の記録媒体とを、選択的に再生する記録媒体再生装置において、
前記記録媒体の情報記録層に照射する、６３５nｍの波長の光を発生する発生手段と、
前記発生手段からの光を、開口数が０．６に対応する角度で収束して、前記記録媒体の情報記録層に照射する照射手段と、
前記記録媒体の情報記録層からの光を中央部および周辺部に分けて受光する受光手段と
を備え、
前記受光手段は、中央部および周辺部の領域に分割されており、前記中央部は、そのノーマライズディテクタサイズが、３μm以上かつ１６μm以下の大きさであり、
前記第１の記録媒体の情報を再生するとき、前記受光手段の中央部および周辺部が受光した光量に基づいてフォーカスサーボおよびデータの検出を行い、
前記第２の記録媒体の情報を再生するとき、前記受光手段の中央部が受光した光量のみに基づいてフォーカスサーボおよびデータの検出を行う
ことを特徴とする記録媒体再生装置。
【請求項２】
基板が０．６mmの厚さの第１の記録媒体の情報記録層、または基板が１．２mmの厚さの第２の記録媒体の情報記録層から、選択的に情報を再生する記録媒体再生装置であって、受光部が、中央部および周辺部の領域に分割されており、前記中央部は、そのノーマライズディテクタサイズが、３μm以上かつ１６μm以下の大きさである記録媒体再生装置の記録媒体再生方法において、
前記記録媒体の情報記録層に照射する、６３５nｍの波長の光を発生するステップと、
発生された光を、開口数が０．６に対応する角度で収束して、前記記録媒体の情報記録層に照射するステップと、
前記記録媒体の情報記録層からの光を中央部および周辺部に分けて受光するステップと
を備え、
前記第１の記録媒体の情報を再生するとき、前記受光部の中央部および周辺部が受光した光量に基づいてフォーカスサーボおよびデータの検出を行い、
前記第２の記録媒体の情報を再生するとき、前記受光部の中央部が受光した光量のみに基づいてフォーカスサーボおよびデータの検出を行う
ことを特徴とする記録媒体再生方法。
【発明の詳細な説明】
【０００１】
【発明の属する技術分野】
本発明は、記録媒体再生装置および記録媒体再生方法に関し、特に、基板の厚さが異なる複数種類のディスク状記録媒体から記録情報を再生する記録媒体再生装置および記録媒体再生方法に関する。
【０００２】
【従来の技術】
光を利用して情報を再生する記録媒体として、コンパクトディスク（ＣＤ）（商標）が普及しているが、最近では、その他に、長時間の映像をデジタル的に記録するデジタルビデオディスク（ＤＶＤ）などの新たな記録媒体が考えられている。
【０００３】
このような、光を利用した記録媒体からデジタル情報を読み出す場合、レーザ光を記録媒体に照射し、記録媒体からの反射光を検出し、反射光のレベルを２値データに変換する。
【０００４】
図８は、ＣＤ用の光ピックアップ装置の一構成例を示している。ＬＤ（レーザーダイオード）１は、波長が７８０ｎｍであるレーザ光を発生する。透明な平行平板よりなるビームスプリッタ２は、ＬＤ１から出射されるレーザ光を、対物レンズ３に向けて反射し、さらに、対物レンズ３を介して戻ってきたＣＤ１０による反射光（収束光）を、非点収差を与えてホトダイオード４に向けて透過させるようになされている。
【０００５】
対物レンズ３は、レーザ光を収束し、微細なピットが並んでいるＣＤ１０の情報記録層１２に照射させるようになされている。さらに、対物レンズ３は、ＣＤ１０の情報記録層１２からの反射光を収束し、ビームスプリッタ２を介してホトダイオード４に入射させるようになされている。
【０００６】
なお、対物レンズ３は、その開口数（Ｎｕｍｅｒｉｃａｌ  Ａｐｅｒｔｕｒｅ（ＮＡ））が大きいほど、光を収束する角度が大きくなり、より小さい範囲に光を収束することができる。この構成例においては、ＮＡが０．４５の対物レンズ３が使用されている。
【０００７】
ホトダイオード４は、ＬＤ１がＣＤ１０に照射したレーザ光の戻り光を検出するようになされている。
【０００８】
情報記録層１２で反射して、ホトダイオード４に入射するレーザ光は、収束光としてビームスプリッタ２を透過するため、非点収差が発生する。この非点収差を利用してフォーカスサーボが行われる。
【０００９】
記録媒体であるＣＤ１０は、厚さｔが１．２ｍｍの基板１１上に、情報記録層１２が形成され、情報記録層１２の上に保護膜１３が形成されている。ＬＤ１が出射したレーザ光は、透明な基板１１を透過し、情報記録層１２に照射される。情報記録層１２は、記録情報に対応したピットを有しており、レーザ光がピットに照射されると回折を起こし、戻り光（記録媒体で反射され、ホトダイオード４に入射する光）の強度が弱くなる。ピットがない場所にレーザ光が照射されると、そのまま反射されるので、戻り光の強度が強くなる。このような戻り光をホトダイオード４で検出し、その戻り光の強弱を２進数の「１」、「０」に変換することで、ＣＤ１０上にピットとして記録されているデジタルデータが読み取られる。
【００１０】
以上のようにして、レーザ光を記録媒体の所定の位置に照射し、その戻り光を検出することで情報を読み取る。
【００１１】
また、最近、図９に示すような構成のＤＶＤ２０が提案されている。ＣＤ１０が片面だけに情報が記録されているのに対して、ＤＶＤ２０は、両面に情報が記録されている。すなわち、基板２１の上に情報記録層２２が形成され、その上に保護膜２３が形成されたものと、基板３１の上に情報記録層３２が形成され、その上に保護膜３３が形成されたものとが、保護膜２３と保護膜３３を介して接着した構成とされている。従って、その構造は、図９に示すように対称的になっている。
【００１２】
ＤＶＤ２０においては、ＣＤ１０より高密度で情報が記録されているため、ＤＶＤ２０におけるピット長およびピット間隔は、ＣＤ１０のものより短くなっている。このように、ＣＤ１０より細かいピットに光を照射するので、ＤＶＤ用の光ピックアップ装置においては、ＮＡが大きい（ＮＡ＝０．６）対物レンズ４３が使用される。このように開口数の大きい対物レンズ４３を使用することで、より小さい範囲にレーザ光を収束させ、細かいピットを読み取ることが可能となる。
【００１３】
このようなディスク（ＣＤ１０やＤＶＤ２０など）は、通常、大量生産されるため、ディスクによっては（例えば、ポリカーボネイト製の安価なディスク）、ディスクスキューが０．５度乃至１度に達することもある。このように、スキューを有するディスクを再生する場合、ディスクが光軸に垂直な状態から傾いた状態でデータの読み取り（レーザ光の照射および受光）が行われるため、波面収差が発生し、ディスク上での結像スポットが非対称となり、符号間干渉が増加し、出力信号に大きな歪みが生じ、データの読み取りが困難になることもある。このとき発生する収差においては、３次のコマ収差が大部分を占め、３次のコマ収差は、ＮＡの３乗、ディスクの傾き角、および、基板の厚さに比例する。従って、ＮＡが大きい場合、３次のコマ収差は、ディスク傾きに敏感になり、大きな値になりやすい。
【００１４】
ＤＶＤ２０においては、ＮＡが大きい（ＮＡ＝０．６の）対物レンズで読み取りが行われるので、ＣＤ１０と同じ厚さの基板を使用すると３次のコマ収差が大きくなる。従って、３次のコマ収差を軽減するために、ＤＶＤ２０の基板２１，３１は、ＣＤ１０のものより薄くなっている。すなわち、ＣＤ１０の基板１１が、１．２ｍｍの厚さとされているのに対して、ＤＶＤ２０の基板２１，３１は、それぞれ０．６ｍｍの厚さとされている。
【００１５】
このようにＤＶＤ２０の記録密度はＣＤ１０の記録密度より大きいので、ＤＶＤ用の光ピックアップ装置のＬＤ４１としては、ＣＤ用のＬＤ１より短い波長（６３５ｎｍ）のレーザ光を発生するものが用いられ、対物レンズ４３には、ＮＡが大きいものが使用される。
【００１６】
しかしながら、以上のように、ＣＤ１０またはＤＶＤ２０から、それぞれ専用の光学系（光ピックアップ装置）で、情報を読み出すことはできるが、１つの光学系で、ＣＤ１０とＤＶＤ２０の両方の情報を読み出すことは困難である。
【００１７】
例えば、図１０に示すように、ＤＶＤ用の光ピックアップ装置をＣＤ１０に適用しようとすると、ＤＶＤ用の光ピックアップ装置は、ＤＶＤ２０のデータを最良な状態で読み取るように最適化されているため、ＣＤ１０のデータを読み取る場合、ＣＤ１０の基板１１とＤＶＤ２０の基板２１，３１の厚さの違い、および開口数の違いにより、４次の球面収差（ＮＡの４乗および基板の厚さに比例する）による影響が現れ、図１１に示すように、フォーカスサーボに使用されるフォーカスエラー信号の特性が悪化し（良好なフォーカスエラー信号は、フォーカス位置周辺において、Ｓ字状の対称な正負のピークを呈する）、フォーカス位置の検出が困難になり、良好なデータ信号（ＲＦ信号）の出力が得られず、フォーカスサーボひいてはデータの検出が困難になる。
【００１８】
そこで、本出願人は、ＣＤ読み取り時において、特に球面収差の影響を受ける戻り光の外周部分を受光しないような、小さいサイズの受光部を使用することで、球面収差の影響を抑制して、ＤＶＤ用の光学系でＣＤの読み取りを可能にする方法を、例えば、特願平７−３０２４１５号として先に提案した。
【００１９】
この方法においては、ＤＶＤまたはＣＤからの戻り光のうち、ＮＡが約０．３以下に対応する光のみを受光するような大きさのホトダイオードを使用している。
【００２０】
【発明が解決しようとする課題】
この方法によってＤＶＤを再生する場合、受光部のサイズが小さいため、従来の受光部による検出レベルと較べて充分なレベルの出力が得られず、ＤＶＤ読み取り時におけるフォーカスエラー信号やデータ出力信号（ＲＦ信号）が劣化するという問題を有している。
【００２１】
本発明は、このように状況に鑑みてなされたもので、中央部と周辺部に分割された受光部を利用し、ＣＤ読み取り時には、受光部の中央部の出力のみを使用し、ＤＶＤ読み取り時には、受光部の全体（中央部と周辺部）の出力を使用することで、ＤＶＤ読み取り時の信号の劣化を抑制し、安定して複数種類の記録媒体からのデータの読み取りを可能にするものである。
【００２２】
【課題を解決するための手段】
本発明の記録媒体再生装置は、厚さが０．６mmの基板を介して情報記録層に光を照射して情報を再生する第１の記録媒体と、厚さが１．２mmの基板を介して情報記録層に光を照射して情報を再生する第２の記録媒体とを、選択的に再生する記録媒体再生装置であって、記録媒体の情報記録層に照射する、６３５nｍの波長の光を発生する発生手段と、発生手段からの光を、開口数が０．６に対応する角度で収束して、記録媒体の情報記録層に照射する照射手段と、記録媒体の情報記録層からの光を中央部および周辺部に分けて受光する受光手段とを備え、受光手段は、中央部および周辺部の領域に分割されており、中央部は、そのノーマライズディテクタサイズが、３μm以上かつ１６μm以下の大きさであり、第１の記録媒体の情報を再生するとき、受光手段の中央部および周辺部が受光した光量に基づいてフォーカスサーボおよびデータの検出を行い、第２の記録媒体の情報を再生するとき、受光手段の中央部が受光した光量のみに基づいてフォーカスサーボおよびデータの検出を行うことを特徴とする。
【００２３】
本発明の記録媒体再生方法は、基板が０．６mmの厚さの第１の記録媒体の情報記録層、または基板が１．２mmの厚さの第２の記録媒体の情報記録層から、選択的に情報を再生する記録媒体再生装置であって、受光部が、中央部および周辺部の領域に分割されており、中央部は、そのノーマライズディテクタサイズが、３μm以上かつ１６μm以下の大きさである記録媒体再生装置の記録媒体再生方法であって、記録媒体の情報記録層に照射する、６３５nｍの波長の光を発生するステップと、発生された光を、開口数が０．６に対応する角度で収束して、記録媒体の情報記録層に照射するステップと、記録媒体の情報記録層からの光を中央部および周辺部に分けて受光するステップとを備え、第１の記録媒体の情報を再生するとき、受光部の中央部および周辺部が受光した光量に基づいてフォーカスサーボおよびデータの検出を行い、第２の記録媒体の情報を再生するとき、受光部の中央部が受光した光量のみに基づいてフォーカスサーボおよびデータの検出を行うことを特徴とする。
【００２４】
本発明の記録媒体再生装置においては、例えば、発生手段は、デジタルビデオディスクまたはコンパクトディスクの情報記録層に照射する、６３５nｍの波長のレーザ光を発生し、照射手段は、そのレーザ光を、開口数が０．６に対応する角度で収束し、デジタルビデオディスクまたはコンパクトディスクの情報記録層に照射し、受光手段は、デジタルビデオディスクまたはコンパクトディスクからの反射光を中央部および周辺部に分けて受光する。また、受光手段は、中央部および周辺部の領域に分割されており、中央部は、そのノーマライズディテクタサイズが、３μm以上かつ１６μm以下の大きさであり、第１の記録媒体の情報を再生するとき、受光手段の中央部および周辺部が受光した光量に基づいてフォーカスサーボおよびデータの検出を行い、第２の記録媒体の情報を再生するとき、受光手段の中央部が受光した光量のみに基づいてフォーカスサーボおよびデータの検出を行う。
【００２５】
本発明の記録媒体再生方法においては、例えば、デジタルビデオディスクまたはコンパクトディスクの情報記録層に照射する、６３５nｍの波長のレーザ光を発生し、そのレーザ光を、開口数が０．６に対応する角度で収束し、デジタルビデオディスクまたはコンパクトディスクの情報記録層に照射し、デジタルビデオディスクまたはコンパクトディスクからの反射光を、所定の受光部の中央部および周辺部に分けて受光する。この受光部は、中央部および周辺部の領域に分割されており、中央部は、そのノーマライズディテクタサイズが、３μm以上かつ１６μm以下の大きさである。第１の記録媒体の情報を再生するとき、受光部の中央部および周辺部が受光した光量に基づいてフォーカスサーボおよびデータの検出を行い、第２の記録媒体の情報を再生するとき、受光部の中央部が受光した光量のみに基づいてフォーカスサーボおよびデータの検出を行う。
【００２６】
【発明の実施の形態】
図１は、本発明の記録媒体再生装置における光ピックアップ装置の一実施例の構成例を示している。この実施例は、図９における場合と同様に、波長６３５ｎｍのレーザ光を発生するＬＤ４１（発生手段）、入射光と反射光を分離するとともに、反射光に非点収差を与えるビームスプリッタ４２、ＮＡが０．６の対物レンズ４３（照射手段）、および、反射光を受光するホトダイオード６１（受光手段）を備える。
【００２７】
この実施例においては、ＬＤ４１より出射したレーザ光は、ビームスプリッタ４２により反射し、対物レンズ４３に入射する。そして、対物レンズ４３は、入射したレーザ光を、ＮＡ＝０．６に対応する角度で収束し、ＤＶＤ２０の情報記録層２２に照射させる。
【００２８】
照射したレーザ光による反射光（戻り光）は、対物レンズ４３により収束され、ビームスプリッタ４２に入射する。ビームスプリッタ４２は、その戻り光を、非点収差を与えてホトダイオード６１に向けて透過させる。
【００２９】
図２は、図１に示す実施例をＣＤ１０に適用した様子を示している。ＣＤ１０は、厚さｔが１．２ｍｍの基板１１上に、情報記録層１２が形成され、情報記録層１２の上に保護膜１３が形成されている。
【００３０】
ＤＶＤ読み取り時（図１）と同様に、ＬＤ４１より出射されたレーザ光は、ビームスプリッタ４２により反射し、対物レンズ４３に入射する。そして、対物レンズ４３は、入射したレーザ光を、ＮＡ＝０．６に対応する角度で収束し、ＣＤ１０の透明な基板１１を透過し、情報記録層１２に照射させる。
【００３１】
照射したレーザ光による反射光（戻り光）は、対物レンズ４３により収束され、ビームスプリッタ４２に入射する。ビームスプリッタ４２は、その戻り光を、非点収差を与えてホトダイオード６１に向けて透過させる。
【００３２】
なお、本実施例は、ＤＶＤ用のＬＤ４１および対物レンズ４３を使用しているので、ＣＤ読み取り時の戻り光（特に、その外周部分）は、４次の球面収差の影響を受けている。
【００３３】
図３は、本実施例の電気的構成の一例を示している。この実施例においては、戻り光の非点収差を利用したアスティグマ法によりフォーカスサーボが行いながら、データの読み出しを行う。
【００３４】
本実施例においては、ホトダイオード６１は、図３に示すように、中央部の４つの領域Ａ乃至Ｄおよび周辺部の領域Ｅに分割されており、それぞれ、受光した戻り光を電気信号に変換するようになされている。なお、ホトダイオード６１の中央部（領域Ａ乃至Ｄ）の大きさは、ＤＶＤ読み取り時において、戻り光がホトダイオード６１に入射して得られるスポットの面積の約２／３になるように設定されている。
【００３５】
実際には、ホトダイオード６１の中央部（領域Ａ乃至Ｄ）は、ノーマライズディテクタサイズ（対物レンズ４３の横倍率で実際の寸法を割算して得られる）に換算すると、３μｍ乃至１６μｍの大きさになるように設計され、収差の影響を低減するようになされている。さらに、ホトダイオード６１の中央部を、８μｍ乃至１４μｍの大きさに設計すると、さらに、（収差の影響を受けていない）良好な信号が得られる。
【００３６】
従って、ＣＤ読み取り時においては、球面収差の影響を受けている戻り光の外周部分は、周辺部（領域Ｅ）に入射する。
【００３７】
最初に、本実施例におけるフォーカスサーボについて説明する。
【００３８】
フォーカスサーボは、ホトダイオード６１における中央部の４つの領域Ａ乃至Ｄの出力を利用して行われる。
【００３９】
ホトダイオード６１の中央部の領域Ａ乃至Ｄは、それぞれ、受光した戻り光を電気信号に変換する。次に、領域Ａ，Ｃの出力の和（Ａ＋Ｃ）、および領域Ｂ，Ｄの出力の和（Ｂ＋Ｄ）が、加算器７１，７２で計算され、減算器７３によって、それらの和（（Ａ＋Ｃ）および（Ｂ＋Ｄ））の差が計算される。そして、その計算結果（（Ａ＋Ｃ）−（Ｂ＋Ｄ））が、フォーカスエラー信号として、フォーカスサーボ回路７４（制御手段）に出力される。
【００４０】
ホトダイオード６１に照射される戻り光のスポットの形状が円であるとき、フォーカスサーボ回路７４に供給されるフォーカスエラー信号は、ゼロになる。戻り光のスポットの形状が、領域Ｂ，Ｄの方向に長軸を有する楕円であるとき、フォーカスエラー信号は負の所定のレベルとなり、戻り光のスポットの形状が、領域Ａ，Ｃの方向に長軸を有する楕円であるとき、フォーカスエラー信号は正の所定レベルとなる。
【００４１】
従って、フォーカスサーボ回路７４は、フォーカスエラー信号の符号およびレベルに対応してフォーカスアクチュエータ７５を制御し、対物レンズ４３を光軸方向に移動させる。
【００４２】
このように、ホトダイオード６１の領域Ａ，Ｃで検出された光量と領域Ｂ，Ｄで検出された光量を比較することで、フォーカスエラーの方向と量を知ることができ、それに応じて対物レンズ４３を移動させて、フォーカスサーボを行う。
【００４３】
次に、本実施例におけるデータの読み取り動作について説明する。
【００４４】
このようにしてフォーカスサーボを行うことによりフォーカスを保ちながら、ホトダイオード６１でＤＶＤまたはＣＤからの戻り光の受光（データの検出）を行う。
【００４５】
最初に、ホトダイオード６１の領域Ａ乃至Ｄの出力の総和を、加算器７１，７２，７６で計算する。そして加算器７７は、その総和と、領域Ｅの出力の和を計算し、判定回路７９に出力する。判定回路７９は、ＣＤ読み取り時における出力電圧値（領域Ａ乃至Ｅの出力を総和した信号を平滑した電圧値）の２倍の値を基準値として記憶しており、供給される信号の平滑後の電圧値と、その基準値を比較し（ＤＶＤ読み取り時における平滑後の電圧値は、ＣＤ読み取り時の約３倍となる）、記録媒体の種類を判別する（出力電圧値が基準値より大きい場合、記録媒体はＤＶＤであると判断し、出力電圧値が基準値より小さい場合、記録媒体はＣＤであると判断する）。
【００４６】
そして、判定回路７９は、その判別結果に応じて、ＣＤ読み取り時においては、加算器７６の出力（領域Ａ乃至Ｄの出力の総和）が読取回路８０（再生手段）に供給され、ＤＶＤ読み取り時においては、加算器７７の出力（領域Ａ乃至Ｅの出力の総和）が読取回路８０に供給されるように、切替回路７８を制御する。
【００４７】
読取回路８０は、供給された信号に対して、所定の処理を行い、記録媒体に記録されていた情報を復元する。
【００４８】
図４は、本実施例によりＣＤの読み取りを行った場合の、フォーカス位置からの変位（デフォーカス）と、フォーカスエラー信号（（Ａ＋Ｃ）−（Ｂ＋Ｄ））および全受光光量（ＣＤ読み取り時は（Ａ＋Ｂ＋Ｃ＋Ｄ））の強度の関係の一例を示している。
【００４９】
ＣＤ読み取り時においては、図４に示すように、ホトダイオード６１の中央部分（領域Ａ乃至Ｄ）のみで戻り光の受光を行っているので、フォーカスエラー信号は、ほとんど球面収差の影響を受けず、フォーカス位置近傍において、鋭いピークを呈する。従って、このとき、ホトダイオード６１の領域Ａ乃至Ｄで受光された戻り光より、良好なＲＦ信号が得られる。一方、ＤＶＤ読み取り時においては、ホトダイオード６１の全領域Ａ乃至Ｅより、ＲＦ信号が得られる。
【００５０】
以上のようにして、ＣＤ読み取り時においては、ホトダイオード６１の周辺部の領域Ｅの出力（球面収差の影響を受けている）を利用しないで（中央部の領域Ａ乃至Ｄの出力のみで）、データの検出を行う。一方、ＤＶＤ読み取り時においては、中央部の領域Ａ乃至Ｄの出力とともに周辺部の領域Ｅの出力を利用するので、ＣＤ読み取り時より大きい電圧値のデータ検出信号（ＲＦ信号）を得ることができる。
【００５１】
図５は、本実施例の電気的構成の他の例を示している。この実施例においては、ホトダイオード６１は、中央部を４つの領域Ａ乃至Ｄに、周辺部を４つの領域Ｆ乃至Ｉに分割されている。
【００５２】
最初に、本実施例におけるフォーカスサーボについて説明する。
【００５３】
ホトダイオード６１の中央部の領域Ａ乃至Ｄは、それぞれ、受光した戻り光を電気信号に変換する。次に、領域Ｂ，Ｄの出力の和（Ｂ＋Ｄ）、および領域Ａ，Ｃの出力の和（Ａ＋Ｃ）が、加算器７１，７２で計算され、減算器７３でそれらの和の差（（Ａ＋Ｃ）−（Ｂ＋Ｄ））が計算される。そして、その結果が、ＣＤ読み取り時のフォーカスエラー信号として、切替回路１０９に出力される。
【００５４】
ホトダイオード６１の周辺部の領域Ｆ乃至Ｉは、それぞれ、受光した戻り光を電気信号に変換する。次に、加算器１０１乃至１０４は、それぞれ、領域Ａ，Ｆの出力の和（Ａ＋Ｆ）、領域Ｂ，Ｇの出力の和（Ｂ＋Ｇ）、領域Ｃ，Ｈの出力の和（Ｃ＋Ｈ）、または、領域Ｄ，Ｉの出力の和（Ｄ＋Ｉ）を計算する。
【００５５】
加算器１０１，１０３は、その計算結果（（Ａ＋Ｆ）または（Ｃ＋Ｈ））を加算器１０５に出力し、加算器１０５は、それらの和（（Ａ＋Ｆ）＋（Ｃ＋Ｈ））を計算し、減算器１０７および加算器１０８に出力する。
【００５６】
加算器１０２，１０４は、その計算結果（（Ｂ＋Ｇ）または（Ｄ＋Ｉ））を加算器１０６に出力し、加算器１０６は、それらの和（（Ｂ＋Ｇ）＋（Ｄ＋Ｉ））を計算し、減算器１０７および加算器１０８に出力する。
【００５７】
減算器１０７は、加算器１０５，１０６より供給される信号の差を計算し、その計算結果（（（Ａ＋Ｆ）＋（Ｃ＋Ｈ））−（（Ｂ＋Ｇ）＋（Ｄ＋Ｉ）））を、ＤＶＤ読み取り時のフォーカスエラー信号として、切替回路１０９に出力する。
【００５８】
判定回路７９は、加算器１０８より供給される全領域Ａ乃至Ｄ，Ｆ乃至Ｉの出力の総和（Ａ＋Ｂ＋Ｃ＋Ｄ＋Ｆ＋Ｇ＋Ｈ＋Ｉ）であるＲＦ信号を平滑し、その電圧値を予め記憶されている基準値と比較し、現在読み取りを行っている記録媒体の種類（ＣＤまたはＤＶＤ）を判断する。
【００５９】
そして、判定回路７９は、その判別結果に応じて、ＣＤ読み取り時においては、減算器７３の出力がフォーカスサーボ回路７４に供給され、ＤＶＤ読み取り時においては、減算器１０７の出力がフォーカスサーボ回路７４に供給されるように、切替回路１０９を制御する。
【００６０】
ホトダイオード６１に照射される戻り光のスポットの形状が円であるとき、フォーカスサーボ回路７４に供給されるフォーカスエラー信号は、ゼロになる。戻り光のスポットの形状が、領域Ｂ，Ｄ（領域Ｇ，Ｉ）の方向に長軸を有する楕円であるとき、フォーカスエラー信号は負の所定のレベルとなり、戻り光のスポットの形状が、領域Ａ，Ｃ（領域Ｆ，Ｈ）の方向に長軸を有する楕円であるとき、フォーカスエラー信号は正の所定レベルとなる。
【００６１】
フォーカスサーボ回路７４は、このようなフォーカスエラー信号の符号（正または負）およびレベルに対応してフォーカスアクチュエータ７５を制御し、対物レンズ４３を光軸方向に移動させる。
【００６２】
このように、ＣＤ読み取り時においては、ホトダイオード６１の領域Ｂ，Ｄで検出された光量と領域Ａ，Ｃで検出された光量を比較し、ＤＶＤ読み取り時においては、領域Ｂ，Ｇ，Ｄ，Ｉで検出された光量と領域Ａ，Ｆ，Ｃ，Ｈで検出された光量を比較することで、フォーカスエラーの方向と量を知ることができ、それに応じて対物レンズ４３を移動させて、フォーカスサーボを行う。
【００６３】
従って、本実施例においては、ＤＶＤ読み取り時に、ホトダイオード６１の中央部および周辺部の出力を利用するので、良好な特性のフォーカスエラー信号を得ることができる。
【００６４】
次に、本実施例におけるデータの読み取り動作について説明する。
【００６５】
このようにしてフォーカスサーボを行うことによりフォーカスを保ちながら、ホトダイオード６１でＤＶＤまたはＣＤからの戻り光の受光（データの検出）を行う。
【００６６】
最初に、ホトダイオード６１の領域Ａ乃至Ｄの出力の総和を、加算器７１，７２，７６で計算する。加算器７６は、この計算結果（Ａ＋Ｂ＋Ｃ＋Ｄ）を、ＣＤ読み取り時におけるデータ検出信号（ＲＦ信号）として切替回路７８に出力する。一方、加算器１０８は、加算器１０５，１０６の出力より、ホトダイオード６１の全領域Ａ乃至Ｄ，Ｆ乃至Ｉの出力の総和を計算し、ＤＶＤ読み取り時におけるデータ検出信号（ＲＦ信号）として切替回路７８および判定回路７９に出力する。
【００６７】
判定回路７９は、切替回路１０９と同様に、切替回路７８を制御し、ＣＤ読み取り時においては、加算器７６の出力（領域Ａ乃至Ｄの出力の総和）を読取回路８０に出力させ、ＤＶＤ読み取り時においては、加算器１０８の出力（領域Ａ乃至Ｄおよび領域Ｆ乃至Ｉの出力の総和）を、読取回路８０に出力させる。
【００６８】
読取回路８０は、供給された信号（ＲＦ信号）に対して、所定の処理を行い、記録媒体に記録されていた情報を復元する。
【００６９】
以上のようにして、ＣＤ読み取り時においては、ホトダイオード６１の周辺部の領域Ｆ乃至Ｉの出力（球面収差の影響を受けている）を利用しないで（中央部の領域Ａ乃至Ｄの出力のみで）、フォーカスサーボおよびデータの検出を行う。ＤＶＤ読み取り時においては、中央部の領域Ａ乃至Ｄの出力とともに周辺部の領域Ｆ，Ｇ，Ｈ，Ｉの出力を利用するので、ＣＤ読み取り時より良好な特性を有するフォーカスエラー信号およびデータ検出信号（ＲＦ信号）を得ることができる。
【００７０】
図６は、本発明の記録媒体再生装置における光ピックアップ装置の他の実施例の構成例を示している。この実施例においては、透明な平行平板よりなるビームスプリッタ４２は、ＬＤ４１から出射されるレーザ光を、対物レンズ４３に向けて反射し、さらに、対物レンズ４３を介して戻ってきたＣＤ１０またはＤＶＤ２０による反射光を、ビームスプリッタ８６を介して、ホトダイオード６１Ａ，６１Ｂ（受光手段）に向けて透過させるようになされている。
【００７１】
ビームスプリッタ８６は、ビームスプリッタ４２を透過してきた戻り光を、２本に分岐し、２本のうちの一方の戻り光をホトダイオード６１Ａに向けて透過させ、他方の戻り光をホトダイオード６１Ｂに向けて反射させるようになされている。
【００７２】
図７は、図６の実施例の電気的構成の一例を示している。本実施例においては、差動同心円法によるフォーカスサーボが行われる。ホトダイオード６１Ａは、中央部に３つの領域Ａ，Ｂ，Ｃを有し、周辺部に領域Ｇを有する。ホトダイオード６１Ｂは、中央部に３つの領域Ｄ，Ｅ，Ｆを有し、周辺部に領域Ｈを有する。
【００７３】
これらの領域Ａ乃至Ｈは、それぞれ、受光した戻り光を電気信号に変換する。次に、ホトダイオード６１Ａの領域Ｂ，Ｃの出力の和（Ｂ＋Ｃ）が、加算器９１で計算され、係数器９２に出力される。係数器９２は、供給される信号に係数ｋを乗じて、その計算結果（ｋ×（Ｂ＋Ｃ））を減算器９３に出力する。減算器９３は、係数器９２からの信号と、ホトダイオード６１Ａの領域Ａより出力される信号の差（Ａ−ｋ×（Ｂ＋Ｃ））を減算器９７に出力する。
【００７４】
同様にして、ホトダイオード６１Ｂの領域Ｅ，Ｆの出力の和（Ｅ＋Ｆ）が、加算器９４で計算され、係数器９５に出力される。係数器９５は、供給される信号に係数ｋを乗じて、その計算結果（ｋ×（Ｅ＋Ｆ））を減算器９６に出力する。減算器９６は、係数器９５からの信号と、ホトダイオード６１Ｂの領域Ｄより出力される信号の差（Ｄ−ｋ×（Ｅ＋Ｆ））を減算器９７に出力する。
【００７５】
そして、減算器９７は、それらの差（（Ａ−ｋ×（Ｂ＋Ｃ））−（Ｄ−ｋ×（Ｅ＋Ｆ））を計算し、その計算結果をフォーカスエラー信号として、フォーカスサーボ回路７４に出力する。
【００７６】
ホトダイオード６１Ａ，６１Ｂに照射される戻り光のスポットの形状が同一の径であるとき、フォーカスサーボ回路７４に供給されるフォーカスエラー信号は、ゼロになる。ホトダイオード６１Ａにおける戻り光のスポットの径が、ホトダイオード６１Ｂにおける戻り光のスポットの径より大きくなると、フォーカスエラー信号は正の所定のレベルとなる。
【００７７】
一方、ホトダイオード６１Ａにおける戻り光のスポットの径が、ホトダイオード６１Ｂにおける戻り光のスポットの径より小さくなると、フォーカスエラー信号は負の所定レベルとなる。
【００７８】
フォーカスサーボ回路７４は、フォーカスエラー信号の符号およびレベルに対応してフォーカスアクチュエータ７５を制御し、対物レンズ４３を光軸方向に移動させる。
【００７９】
このようにして、ホトダイオード６１Ａ，６１Ｂの各領域Ａ乃至Ｆで検出された光量より、フォーカスエラーの方向と量を算出し、それに応じて対物レンズ４３を移動させて、フォーカスサーボを行う。
【００８０】
次に、本実施例におけるデータの読み取りの動作について説明する。
【００８１】
加算器１２１は、加算器９１の出力（Ｂ＋Ｃ）およびホトダイオード６１Ａの領域Ａの出力より、領域Ａ，Ｂ，Ｃの出力の総和を計算し、加算器１２２および加算器１２６に出力する。
【００８２】
加算器１２４は、加算器９４の出力（Ｅ＋Ｆ）およびホトダイオード６１Ｂの領域Ｄの出力より、領域Ｄ，Ｅ，Ｆの出力の総和を計算し、加算器１２５および加算器１２６に出力する。
【００８３】
加算器１２６は、加算器１２１と加算器１２４より供給される信号の和を計算し、その計算結果（Ａ＋Ｂ＋Ｃ＋Ｄ＋Ｅ＋Ｆ）を、ＣＤ読み取り時のデータ検出信号（ＲＦ信号）として、切替回路１２７に出力する。
【００８４】
一方、加算器１２２は、加算器１２１より供給される領域Ａ，Ｂ，Ｃの出力の総和（Ａ＋Ｂ＋Ｃ）と、ホトダイオード６１Ａの周辺部の領域Ｇの出力の和（Ａ＋Ｂ＋Ｃ＋Ｇ）を計算し、加算器１２３に出力する。
【００８５】
加算器１２５は、加算器１２４より供給される領域Ｄ，Ｅ，Ｆの出力の総和（Ｄ＋Ｅ＋Ｆ）と、ホトダイオード６１Ｂの周辺部の領域Ｈの出力の和（Ｄ＋Ｅ＋Ｆ＋Ｈ）を計算し、加算器１２３に出力する。
【００８６】
加算器１２３は、加算器１２２と加算器１２５より供給される信号の和を計算し、その計算結果（Ａ＋Ｂ＋Ｃ＋Ｄ＋Ｅ＋Ｆ＋Ｇ＋Ｈ）を、ＤＶＤ読み取り時のデータ検出信号（ＲＦ信号）として、切替回路１２７および判定回路１２９に出力する。
【００８７】
判定回路１２９は、図３の判定回路７９と同様に、ＣＤ読み取り時における出力電圧値の２倍の値を基準値として記憶しており、供給される信号を平滑した電圧値と、その基準値を比較し、記録媒体の種類を判別する。
【００８８】
そして、判定回路１２９は、その判別結果に応じて、ＣＤ読み取り時においては、加算器１２６の出力（領域Ａ乃至Ｆの出力の総和）が読取回路１２８（再生手段）に供給され、ＤＶＤ読み取り時においては、加算器１２３の出力（領域Ａ乃至Ｈの出力の総和）が読取回路１２８に供給されるように、切替回路１２７を制御する。
【００８９】
読取回路１２８は、供給された信号（ＲＦ信号）に対して、所定の処理を行い、記録媒体に記録されていた情報を復元する。
【００９０】
以上のようにして、ＣＤ読み取り時においては、ホトダイオード６１Ａ，６１Ｂの周辺部の領域Ｇ，Ｈの出力（球面収差の影響を受けている）を利用しないで（中央部Ａ乃至Ｆの出力のみで）、データの検出を行う。ＤＶＤ読み取り時においては、中央部Ａ乃至Ｆの出力とともに周辺部の領域Ｇ，Ｈの出力を利用するので、ＣＤ読み取り時より大きい電圧値の出力を得ることができる。
【００９１】
以上、本発明によりＣＤとＤＶＤの２種類のディスクを選択的に再生する場合を例として説明したが、本発明は、それ以上の種類（３種類以上）のディスクを再生する場合や、ディスク以外の記録媒体を再生する場合にも応用することができる。
【００９２】
【発明の効果】
以上のごとく、本発明の記録媒体再生装置および記録媒体再生方法によれば、記録媒体の情報記録層に照射する、６３５nｍの波長のレーザ光を発生し、そのレーザ光を、開口数が０．６に対応する角度で収束し、記録媒体の情報記録層に照射し、記録媒体の情報記録層からの反射光を、所定の受光部において中央部および周辺部に分けて受光するようにした。また、受光部は、中央部および周辺部の領域に分割されており、中央部は、そのノーマライズディテクタサイズが、３μm以上かつ１６μm以下の大きさであり、第１の記録媒体の情報を再生するとき、受光部の中央部および周辺部が受光した光量に基づいてフォーカスサーボおよびデータの検出を行い、第２の記録媒体の情報を再生するとき、受光部の中央部が受光した光量のみに基づいてフォーカスサーボおよびデータの検出を行うようにしたので、良好な反射光を有効に利用することができ、１つの光学系によって、異なる厚さの基板を有する複数の記録媒体を再生することができる。
【図面の簡単な説明】
【図１】本発明の記録媒体再生装置の光ピックアップ装置の一実施例の構成例を示す断面図である。
【図２】図１の実施例をＣＤに適用した様子を示す図である。
【図３】図１の実施例の電気的構成例を示すブロック図である。
【図４】図１の実施例において検出されるフォーカスエラー信号および全受光光量の一例を示す図である。
【図５】図１の実施例の他の電気的構成例を示すブロック図である。
【図６】本発明の記録媒体再生装置の光ピックアップ装置の他の実施例の構成例を示す図である。
【図７】図６の実施例の電気的構成例を示すブロック図である。
【図８】従来のＣＤ用の光ピックアップ装置の一例を示す図である。
【図９】従来のＤＶＤ用の光ピックアップ装置の一例を示す図である。
【図１０】従来のＤＶＤ用の光ピックアップ装置の一例をＣＤに適用した様子を示す図である。
【図１１】図９の光ピックアップ装置をＣＤに適用した場合に検出されるフォーカスエラー信号と全受光光量の一例を示す図である。
【符号の説明】
１  レーザダイオード（ＬＤ），  ２  ビームスプリッタ，  ３  対物レンズ，  ４  ホトダイオード（ＰＤ），  １０  コンパクトディスク（ＣＤ），  １１  基板，  １２  情報記録層，  １３  保護膜，  ２０  デジタルビデオディスク（ＤＶＤ），  ２１  基板，  ２２  情報記録層，  ２３  保護膜，  ３１基板，  ３２  情報記録層，  ３３  保護膜，  ４１  レーザダイオード（ＬＤ），  ４２  ビームスプリッタ，  ４３  対物レンズ，  ６１，６１Ａ，６１Ｂ  ホトダイオード
【図１】
0003567444.tif 000002
【図２】
0003567444.tif 000003
【図３】
0003567444.tif 000004
【図４】
0003567444.tif 000005
【図５】
0003567444.tif 000006
【図６】
0003567444.tif 000007
【図７】
0003567444.tif 000008
【図８】
0003567444.tif 000009
【図９】
0003567444.tif 000010
【図１０】
0003567444.tif 000011
【図１１】
0003567444.tif 000012